(57)【特許請求の範囲】
【請求項１】
展開状態における前腹部と後背部との間の股部の両側に脚穴部が形成され、股部を中心にして前腹部と後背部とが重ね合わされて、前腹部と後背部の両端部同士が接合されてなる使い捨てパンツであって、
上記股部の外面側に、前腹部側と後背部側との少なくとも一方に開口を有するポケット部が形成され、
上記ポケット部は、不透液性シートの両側部を股部の外面側に接合することにより形成され、
上記ポケット部に上記開口から取り替え可能な吸収体が収容されると共に、
上記股部に、着用者の股部分が上記吸収体に直接接触可能な穴若しくはスリットが形成されていることを特徴とする使い捨てパンツ。
【請求項２】
上記ポケット部の開口には弾性糸が接着されている請求項１に記載の使い捨てパンツ。
【発明の詳細な説明】
【０００１】
【発明の属する技術分野】
本発明は、吸収体の取り替えが容易に行える使い捨てパンツに関する。
【０００２】
【従来の技術】
従来、使い捨てパンツとしては、不織布等によって、展開状態における前腹部と後背部との間の股部の両側に脚穴部が形成され、股部を中心にして前腹部と後背部とが重ね合わされて、前腹部と後背部の両端部同士が接合されてなるものが提案されている。
【０００３】
上記のような使い捨てパンツは、股部の肌面側に吸収体を取付ければ、軽失禁者用のおむつを兼ねる使い捨てパンツとなる。
【０００４】
【発明が解決しようとする課題】
しかしながら、おむつを兼ねる使い捨てパンツにおいては、吸収体が股部の肌面側に溶着又は接着で接合されているから、吸収体が失禁等で汚れた場合、この使い捨てパンツを破るか脱ぐかして、新しい使い捨てパンツに履き替えなければならないので、頻繁に吸収体が汚れるような場合には不便であった。
【０００５】
本発明は、上記従来の問題を解決するためになされたもので、使い捨てパンツを履き替えることなく、容易に吸収体だけを取り替えられることを可能とした使い捨てパンツを提供することを目的とするものである。
【０００６】
【課題を解決するための手段】
上記課題を解決するために、本発明は、展開状態における前腹部と後背部との間の股部の両側に脚穴部が形成され、股部を中心にして前腹部と後背部とが重ね合わされて、前腹部と後背部の両端部同士が接合されてなる使い捨てパンツであって、
上記股部の外面側に、前腹部側と後背部側との少なくとも一方に開口を有するポケット部が形成され、このポケット部に上記開口から取り替え可能な吸収体が収容されると共に、上記股部に、着用者の股部分が上記吸収体に直接接触可能な穴若しくはスリットが形成されていることを特徴とする使い捨てパンツを提供するものである。
【０００７】
本発明によれば、使い捨てパンツの股部の外面側に形成したポケット部に、このポケット部の開口から取り替え可能な吸収体を収容し、着用者の股部分が股部の穴若しくはスリットを介して吸収体に直接接触するようになるから、吸収体が失禁等で汚れた場合、ポケット部の開口から吸収体だけを容易に取り替えできるようになる。なお、ポケット部の開口は、前腹部側と後背部側の両方に有れば、いずれの側からでも吸収体を取り替えることができる。
【０００８】
上記ポケット部は、不透液性シートの両側部を股部の外面側に接合することにより形成されている構成とすれば、吸収体から液体が漏れるようなことがあっても、ポケット部の不透液性シートでそれ以上の漏れが阻止される。
【０００９】
【発明の実施の形態】
以下、本発明の実施の形態を図面を参照して詳細に説明する。
【００１０】
図１（ａ）は使い捨てパンツ２の前面図、（ｂ）は（ａ）のＡ−Ａ線拡大断面図、（ｃ）は（ａ）のＢ−Ｂ線拡大断面図である。なお、図１（ａ）は、後述する各弾性糸７，８，９，１０が伸長状態であるときの図であって、実際には、各弾性糸７〜１０の収縮により使い捨てパンツ２にギャザーが形成されて立体的に収縮するようになる。
【００１１】
上記使い捨てパンツ２は、図２に示すように、基本的には、外面側の透液性シート状体３と、肌面側の透液性シート状体４と、単体の吸収体５と、ポケット用シート状体６と、各弾性糸７，８，９，１０とで製造される。
【００１２】
上記外面側の透液性シート状体３は、肌ざわりの良い合成繊維製不織布等であり、図３に示すように、長さ方向Ｌに延在して、使い捨てパンツ２の前腹部２Ａと後背部２Ｂと股部２Ｃとが展開状態で、透液性シート状体３の長さ方向に横並びで型取りされるようにその幅が設定されている。
【００１３】
具体的には、透液性シート状体３の長さ方向Ｌに対して、展開状態の前腹部２Ａと股部２Ｃと後背部２Ｂとの横幅に相当するピッチＰを設定し、このピッチＰ毎に、後述する図７の工程で幅方向の両断線Ｋで両断することにより、長さ方向Ｌに連続製造された使い捨てパンツ２が切り離されるようにする。なお、上記透液性シート３の幅方向の両側には、折り返し線ｒ（二点鎖線参照）で内向きに折り返すための折り返し部３ａが形成されている。
【００１４】
上記透液性シート状体３には、幅方向の中心線Ｇと各両断線Ｋとの交点Ｈを中心とする横長楕円形状の脚穴部２Ｄがそれぞれ形成されている。
【００１５】
上記透液性シート３の前腹部２Ａと後背部２Ｂの各ウェスト位置には、複数本のウェスト用弾性糸７が長さ方向に伸長状態でそれぞれ間欠接着され、各ボディ位置には、複数本のボディフイット用弾性糸９が長さ方向に伸長状態でそれぞれ間欠接着されると共に、脚穴部２Ｄの回りには、複数本のレッグ用弾性糸８が伸長状態でそれぞれ間欠接着される。
【００１６】
上記脚穴部２Ｄの回りのレッグ用弾性糸８は、図３の上側のレッグ用弾性糸８が股部２Ｃにおける幅方向の中心線Ｇを越えないでＵターンしながら蛇行状態で間欠接着されると共に、下側のレッグ用弾性糸８も股部２Ｃにおける幅方向の中心線Ｇを越えないでＵターンしながら蛇行状態で間欠接着されるようになる。なお、股部２Ｃに間欠接着された各レッグ用弾性糸８は、後述する工程において股部２Ｃに形成する長方形状の長穴１２（二点鎖線参照）によってカットされるようになる。
【００１７】
上記ウェスト用弾性糸７、レッグ用弾性糸８及びボディフイット用弾性糸９は、帯状や糸状の天然ゴム又は合成ゴムであり、各弾性糸７〜９の収縮力でウェスト用ギャザー、レッグ用ギャザー及びボディフイット用ギャザーが自然に形成されるようになる。
【００１８】
上記肌面側の透液性シート状体４は、合成繊維製不織布等であり、図４に示すように、長さ方向Ｌに延在して、上記外面側の透液性シート状体３と同様に、各脚穴部２Ｄが形成されている。なお、上記透液性シート状体３のような折り返し部３ａは形成されていない。
【００１９】
この肌面側の透液性シート状体４は、透液性シート状体３の両側の折り返し部３ａの間に位置するように設定して、間欠接着した各弾性糸７〜９の上から被せるようにしながら外面側の透液性シート状体３に溶着又は接着により接合する。
【００２０】
この接合工程の後に、外面側の透液性シート状体３と肌面側の透液性シート状体４との股部２Ｃに長方形状の長穴１２を打ち抜き等で形成する。この長穴１２は、長穴１２に臨む着用者の股部分が上記吸収体５に直接接触可能な幅及び長さに設定されると共に、吸収体５の外形状よりもやや小さい幅及び長さに設定されている。
【００２１】
上記単体の吸収体５は、図２に示したように、不透液性のバックシート５ａと透液性のトップシート５ｂとで、パルプ繊維や高吸収性ポリマー等の混合物でなる吸収体コア５ｃをくるんで扁平に成形したものである。
【００２２】
上記ポケット用シート状体６は、不透液性のプラスチックフィルム等であり、図５に示すように、長さ方向Ｌに延在して、上記吸収体５の長さよりもやや広い幅に設定されると共に、上記外面側の透液性シート状体３と同様に、各脚穴部２Ｄが形成されている。このポケット用シート状体６の幅方向の両側には、図２に示したように、複数本のポケット用弾性糸１０が長さ方向に伸長状態でそれぞれ間欠接着されると共に、内向きに折り返すための折り返し部６ａが形成されて、この折り返し部６ａを、間欠接着した弾性糸１０の上から被せるように内向きに折り返してポケット用シート状体６の内面に溶着又は接着により接合する（図５の状態）。なお、図５ハッチングで示す範囲は接合領域、それ以外の範囲は非接合領域であって、この非接合領域の幅は上記吸収体５の幅よりもやや広い幅に設定されている。
【００２３】
そして、このポケット用シート状体６の接合領域を外面側の透液性シート状体３の股部２Ｃの外面に溶着又は接着により接合することにより、非接合領域によって、ポケット用シート状体６の幅方向の両側に開口１１ａ，１１ｂを有する中空のポケット部１１が形成されるようになる。この各開口１１ａ，１１ｂには、上記弾性糸１０の収縮力で閉じる方向のポケットギャザーが形成されるようになる。
【００２４】
このような接合工程の後に、図６に示すように各シート状体３，４の幅方向の中心線Ｇ、つまり、股部２Ｃを中心にして、図７に示すように前腹部２Ａと後背部２Ｂとを重ね合わせて、上記ピッチＰの両断線Ｋの位置にある両端接合（サイドシール）部２ｃを所定の幅で溶着又は接着で接合する。
【００２５】
そして、この両端接合部２ｃを上記両断線Ｋで両断することにより、長さ方向Ｌに連続製造された使い捨てパンツ２は、図１に示したように１個づつに切り離されるようになる。
【００２６】
なお、上記吸収体５は、ポケット用シート状体６を透液性シート状体３の股部２Ｃの外面に接合してポケット部１１を形成した後に、このポケット部１１に別工程で収容することを前提としたが、ポケット用シート状体６を透液性シート状体３の股部２Ｃの外面に接合してポケット部１１を形成するときに同時に収容するようにしても良い。
【００２７】
上記のように、使い捨てパンツ２の股部２Ｃの外面側にポケット部１１を形成し、このポケット部１１に開口１１ａ，１１ｂから取り替え可能な吸収体５を収容することにより、図９に示すように、着用者１３の股部分１３ａが使い捨てパンツ２の股部２Ｃの長穴１２を介して吸収体５に直接接触するようになる。
【００２８】
そして、吸収体５が失禁等で汚れた場合、図９（ｂ）に二点鎖線で示すように、ポケット部１１の開口１１ａ，１１ｂ（いずれか一方で良い。）の上端部分を弾性糸１０の収縮力に抗して外方に引っ張って開口１１ａ，１１ｂを大きく開き（矢印Ｅ参照）、この大きく開いた開口１１ａ，１１ｂから汚れた吸収体５だけをポケット部１１から抜き出して、新しい吸収体５を開口１１ａ，１１ｂからポケット部１１に差し込む（矢印Ｆ参照）。
【００２９】
このように、使い捨てパンツ２から吸収体５だけを容易に取り替えできるようになるから、従来のように、吸収体５が汚れた使い捨てパンツ２を新しい使い捨てパンツ２に履き替える必要がなくなって、頻繁に吸収体５が汚れるような場合には非常に便利になる。
【００３０】
また、上記ポケット部１１は、不透液性のポケット用シート状体６の両側部を使い捨てパンツ２の股部２Ｃの外面側に接合しているから、吸収体５から液体が漏れるようなことがあっても、ポケット部１１の不透液性シートでそれ以上の漏れが阻止されるので、衣服が汚れるのを未然に防止できるようになる。さらに、各開口１１ａ，１１ｂには、ポケット用弾性糸１０の収縮力で閉じる方向のポケットギャザーが形成されているから、吸収体５から漏れた液体が各開口１１ａ，１１ｂからポケット部１１の外部に漏れることがない。
【００３１】
上記実施形態では、外面側の透液性シート状体３と肌面側の透液性シート状体４との股部２Ｃに長方形状の長穴１２を打ち抜き等で形成したが、図８に示すように、長穴１２に代えてスリット１４を形成すれば、男性専用として、このスリット１４から男性の陰部のみを出して上記吸収体５に直接接触させることができる。なお、男女兼用にする場合には、長穴１２の外形状に合致する切取線（仮想線ｈ参照）を予め形成しておいて、この切取線ｈから透液性シート状体３と肌面側の透液性シート状体４とを適宜に切り取ることにより、着用者等が必要に応じて長穴１２を形成するようにしても良い。
【００３２】
また、上記実施形態は、乳幼児用や大人失禁者用のおむつとなる使い捨てパンツ２であるために、股部２Ｃのポケット部１１に吸収体５を有しているが、おむつではなくて、例えば旅行用の使い捨てパンツとして利用する場合には、ポケット部１１に吸収体５を収容する必要はない。このように、旅行用の使い捨てパンツとして転用可能であることから汎用性が向上する。
【００３３】
【発明の効果】
以上の説明からも明らかなように、本発明は、使い捨てパンツの股部の外面側に形成したポケット部に、このポケット部の開口から取り替え可能な吸収体を収容し、着用者の股部分が股部の穴若しくはスリットを介して吸収体に直接接触するようになるから、吸収体が失禁等で汚れた場合、ポケット部の開口から吸収体だけを容易に取り替えできるようになるので、従来のように、吸収体が汚れた使い捨てパンツを新しい使い捨てパンツに履き替える必要がなくなって、頻繁に吸収体が汚れるような場合には非常に便利になる。
【００３４】
また、ポケット部は、不透液性シートの両側部を股部の外面側に接合することにより形成すれば、吸収体から液体が漏れるようなことがあっても、ポケット部の不透液性シートでそれ以上の漏れが阻止されるので、衣服が汚れるのを未然に防止できるようになる。
【図面の簡単な説明】
【図１】  本発明の使い捨てパンツであり、（ａ）は前面図、（ｂ）は（ａ）のＡ−Ａ線拡大断面図、（ｃ）は（ａ）のＢ−Ｂ線拡大断面図である。
【図２】  使い捨てパンツのパーツの分解斜視図である。
【図３】  外面側の透液性シート状体の平面図である。
【図４】  肌面側の透液性シート状体の平面図である。
【図５】  ポケット用シート状体の平面図である。
【図６】  各シート状体を接合した平面図である。
【図７】  連続製造された使い捨てパンツを切り離す前の平面図である。
【図８】  各シート状体を接合した変形例の平面図である。
【図９】  （ａ）は着用状態の使い捨てパンツの側面図、（ｂ）は（ａ）の要部拡大断面図である。
【符号の説明】
２    使い捨てパンツ
２Ａ  前腹部
２Ｂ  後背部
２Ｃ  股部
２Ｄ  脚穴部
３    外面側の透液性シート状体
４    肌面側の透液性シート状体
５    吸収体
６    ポケット用シート状体
７，８，９，１０  弾性糸
１１  ポケット部
１１ａ，１１ｂ  開口
１２  長穴
１４  スリット
【図１】
0004173598.tif 000002
【図２】
0004173598.tif 000003
【図３】
0004173598.tif 000004
【図４】
0004173598.tif 000005
【図５】
0004173598.tif 000006
【図６】
0004173598.tif 000007
【図７】
0004173598.tif 000008
【図８】
0004173598.tif 000009
【図９】
0004173598.tif 000010